(57)【要約】【課題】基板を移動することなく補助板の移動だけで、２つ又は３つの異なった陳列面を形成できる陳列の演出に優れた商品陳列台を提供すること。【解決手段】基板１１上、前後方向に所定のピッチｐで複数形成され、且つ所定の高さｈで左右方向に延出する壁状の突起部１と、ピッチｐよりやや小さく、隣接する２つの突起部間に差し渡される奥行幅ｗの天板２１を備える補助板２と、を有し、隣接する２つの突起間に天板１を差し渡して天板面を水平状の陳列面とするか、または前後方向における一方の側端を一方の突起部の根元に当接させ他方の側端を他方の突起部の上方に当接させて該天板面を傾斜状の陳列面とする商品陳列台１０。【選択図】図１
2007244582.tif 000002
【特許請求の範囲】
【請求項１】
基板上、前後方向に所定のピッチで複数形成され、且つ所定の高さで左右方向に延出する壁状の突起部と、
前記ピッチよりやや小さく、該隣接する２つの突起部間に差し渡される奥行幅の天板を備える補助板と、を有し、
該隣接する２つの突起間に該天板を差し渡して該天板面を水平状の陳列面とするか、または前後方向における一方の側端を一方の突起部の根元に当接させ他方の側端を他方の突起部の上方に当接させて該天板面を傾斜状の陳列面とすることを特徴とする商品陳列台。
【請求項２】
前記突起部の前方壁面の上方には、該天板の後方側縁部が載る左右方向に延出する帯状の前方エッジ部と、前記突起部の後方壁面の上方には、該天板の前方側縁部が載る左右方向に延出する帯状の後方エッジ部を有することを特徴とする請求項１記載の商品陳列台。
【請求項３】
前記隣接する壁状の突起部間には、一方の突起部の根元から他方の突起部の上部へ延出する傾斜面が形成されていることを特徴とする請求項１又は２記載の商品陳列台。
【請求項４】
前記補助板は、板状物であることを特徴とする請求項１〜３のいずれか１項記載の商品陳列台。
【請求項５】
前記補助板の左右の両側には、該天板と連続する側面視が逆三角形状の側板を付設してなることを特徴とする請求項１〜３のいずれか１項記載の商品陳列台。
【請求項６】
前記天板面には、前後方向に所定のピッチで複数形成され左右方向に延出する横溝を有してなることを特徴とする請求項１〜５のいずれか１項記載の商品陳列台。
【請求項７】
前記天板面及び前記突起部には、左右方向に所定のピッチで複数形成され前後方向に延出する縦溝を有してなることを特徴とする請求項１〜６のいずれか１項記載の商品陳列台。
【請求項８】
前記横溝又は縦溝に陳列商品を区画する仕切り板を設置してなることを特徴とする請求項１〜７のいずれか１項記載の商品陳列台。
【請求項９】
傾斜面に設置されることを特徴とする請求項１〜８のいずれか１項記載の商品陳列台。
【発明の詳細な説明】
【技術分野】
【０００１】
本発明は、主にスーパー、百貨店、専門店、コンビニエンスストアー等の店内
の陳列棚で青果物やパック物などの商品を陳列するのに用いられ、補助台の移動のみで２つ又は３つの陳列面を演出できる商品陳列台に関するものである。
【背景技術】
【０００２】
近年、スーパー、百貨店、専門店、コンビニエンスストアー等の店内で例えば青果物の陳列に使用される商品陳列棚として、商品を載置する１以上の斜面を一方向に隣接して設け、この一方向一端に商品落下防止部を有し且つ他端に平面を有して表陳列面を構成し、該表陳列面の裏側に仕切り板の嵌合溝を少なくとも１以上設けて裏陳列面を構成してなり、前記陳列ケース内に高さ可変の設置台を配設し、該設置台に商品陳列棚の前記表陳列面及び裏陳列面のいずれか一方を置き、いずれか他方に商品を陳列する陳列棚が知られている（特開２００１−１９７９８４号公報）。この商品陳列棚は、少ない部品で、商品の多様化、頻繁に起こる模様替えに十分に対応出来、模様替えの度に不用となったり、新たに購入する必要性を少なくし、かつ保管のためのスペースを減らすことができる効果があり、極めて有用な陳列棚である。
【特許文献１】特開２００１−１９７９８４号公報（請求項１）
【発明の開示】
【発明が解決しようとする課題】
【０００３】
しかしながら、上記の陳列棚は一体型であるため、一の斜面と続く斜面の間隔は一定であり、変化させることができない。このため、模様替えにより大きさの異なる青果物を入れ替える場合、対応できないケースがある。また、例えば傾斜面の傾斜方向を逆にした陳列面としたい場合、商品陳列棚を、設置台に対して前後方向に反転させて使用する必要がある。また、商品陳列棚の裏陳列面を使用して平坦面の陳列面を使用したい場合、商品陳列棚を、長手方向を軸にして、該軸を中心に反転させて使用する必要があるか、あるいは商品陳列棚が裏陳列面を持たない枠体形状である場合、底上げした平坦面の陳列面を形成するために板状部材が別途必要となるなどの問題がある。
【０００４】
従って、本発明の目的は、基板を移動することなく補助板の移動だけで、２つ又は３つの異なった陳列面を形成できる陳列の演出に優れた商品陳列台を提供することにある。
【課題を解決するための手段】
【０００５】
すなわち、本発明は、基板上、前後方向に所定のピッチで複数形成され、且つ所定の高さで左右方向に延出する壁状の突起部と、前記ピッチよりやや小さく、該隣接する２つの突起部間に差し渡される奥行幅の天板を備える補助板と、を有し、該隣接する２つの突起間に該天板を差し渡して該天板面を水平状の陳列面とするか、または前後方向における一方の側端を一方の突起部の根元に当接させ他方の側端を他方の突起部の上方に当接させて該天板面を傾斜状の陳列面とする商品陳列台を提供するものである。
【０００６】
また、本発明は、前記突起部の前方壁面の上方には、該天板の後方側縁部が載る左右方向に延出する帯状の前方エッジ部と、前記突起部の後方壁面の上方には、該天板の前方側縁部が載る左右方向に延出する帯状の後方エッジ部を有する前記商品陳列台を提供するものである。
【０００７】
また、本発明は、前記隣接する壁状の突起部間には、一方の突起部の根元から他方の突起部の上部へ延出する傾斜面が形成されている前記商品陳列台を提供し、また、本発明は、前記補助板は、板状物である前記商品陳列台を提供するものである。
【０００８】
また、本発明は、前記補助板の左右の両側には、該天板と連続する側面視が逆三角形状の側板を付設してなる前記商品陳列台を提供し、また、本発明は、前記天板面には、前後方向に所定のピッチで複数形成され左右方向に延出する横溝を有してなる前記商品陳列台を提供するものである。
【０００９】
また、本発明は、前記天板面及び前記突起部には、左右方向に所定のピッチで複数形成され前後方向に延出する縦溝を有してなる前記商品陳列台を提供し、また、本発明は、前記横溝又は縦溝に陳列商品を区画する仕切り板を設置してなる前記商品陳列台を提供し、また、本発明は、傾斜面に設置される前記商品陳列台を提供するものである。
【発明の効果】
【００１０】
本発明によれば、基板を移動させることなく、補助台の置き方を変更するだけで、２種又は３種の異なった陳列形態を演出できる。また、更に縦溝に仕切り板を組み合わせたり、列毎に異なる陳列形態とすることで、陳列商品の大きさや形状に合せた陳列ができ、陳列の演出を高めることができる。
【発明を実施するための最良の形態】
【００１１】
本発明の第１の実施の形態における商品陳列台について図１〜図７を参照して説明する。図１は本例の実施の形態における商品陳列台の斜視図、図２（Ａ）は本例の商品陳列台の水平状の陳列面を形成する形態における一部の分解斜視図、図２（Ｂ）は図２（Ａ）の組み付け図、図３は図２（Ｂ）の使用状態を示す側面図、図４（Ａ）は本例の商品陳列台の前方傾斜の陳列面を形成する形態における一部の分解斜視図、図４（Ｂ）は図４（Ａ）の組み付け図、図５は図４（Ｂ）の使用状態を示す側面図、図６（Ａ）は本例の商品陳列台の後方傾斜の陳列面を形成する形態における一部の分解斜視図、図６（Ｂ）は図６（Ａ）の組み付け図、図７は図６（Ｂ）の使用状態を示す側面図をそれぞれ示す。なお、本明細書中、「前」は顧客側を、「後」はその反対方向を、「左右」は前から商品陳列台を見た方向を言う。
【００１２】
図１中、商品陳列台１０は、基板１１上、前後方向に所定のピッチｐで形成され、且つ所定の高さｈで左右方向に延出する壁状の突起部１と、ピッチｐよりやや小さく、隣接する２つの突起部１、１間に差し渡される奥行き幅ｗを有する天板２１を備える補助板２とを有する。すなわち、ｐ＞ｗである。また、ピッチｐ、天板２１の奥行き幅ｗ、壁状突起部１の幅寸法及び壁状突起部１のエッジ部までの高さは、天板２１が傾斜面を形成する陳列を採る場合、天板２１の掛かりが安定し、補助板２の設置が安定するような寸法に適宜決定される。天板２１の奥行き幅ｗに対してピッチｐが小さ過ぎると、傾斜角度が大きくなり、天板２１の奥行き幅ｗに対してピッチｐが大き過ぎると、傾斜角度が小さくなり、いずれも商品の陳列に不適なものとなる。また、天板２１の奥行き幅ｗに対してエッジ部までの高さが高過ぎると、傾斜角度が大きくなり、天板２１の奥行き幅ｗに対してエッジ部までの高さが低過ぎると、傾斜角度が小さくなり、いずれも商品の陳列に不適なものとなる。
【００１３】
壁状の突起部１の前方壁面１２１の上方には、天板２１の後方側縁部２２が載る左右方向に延出する帯状の前方エッジ部１３と、突起部１の後方壁面１２２の上方には、天板２１の前方側縁部２３が載る左右方向に延出する帯状の後方エッジ部１４を有する。また、壁状の突起部１の厚みは基板１１の根元部分から上方に向けてやや薄くなっている。これにより、天板２１を傾斜面となるように設置した場合、天板１の上方側の側縁部がエッジ部に載り、設置安定性が高まる。また、壁状の突起部１の上端は、丸み状として陳列商品の損傷を防止すると共に、陳列商品が滑ることを防止している。また、商品陳列台１０の前部１７及び後部１８は壁状の突起部１の縦半割り板として、前面又は後面を平坦面としている。
【００１４】
補助板２は、板状の天板２１と、天板２１の前方側縁部２３及び後方側縁部２２を除いた本体部の左右両側端に一体に形成される逆三角形の側板２４からなる。補助板２に逆三角形の側板２４を付設することにより、天板２１を傾斜状となるように設置した場合、逆三角形の斜辺部が基板１１面と当接するため、設置安定性が向上する。なお、天板２１面には、前後方向に所定のピッチで５つの横溝２６が形成されている。なお、天板２１面の形態としては、特に制限されず、横溝２６が省略された平坦面のものあるいはクッション材が設置された形態のものなどが挙げられる。
【００１５】
次に、商品陳列台１０における補助板の設置方法、すなわち陳列形態としては、天板２１が水平状となる陳列形態、天板２１が前方下り傾斜面となる陳列形態及び天板２１が後方下り傾斜面となる陳列形態が挙げられる。天板２１が水平状となる陳列形態は、図１の右側列前方の２つ及び図２に示すように、補助板２の前方側縁部２３が、壁状突起部１の後方エッジ部１４に載せられ、補助板２の後方側縁部２２が、壁状突起部１の前方エッジ部１３に載せられる。この陳列形態において、商品陳列台１０を傾斜台５に設置すると、天板２１は前方下り傾斜状となり、壁状突起部１の上端部１５が、例えばパック物商品Ａの前方滑りを防止する（図３参照）。
【００１６】
天板２１が前方下り傾斜面となる陳列形態は、図１の右側列後方の３つ及び図４に示すように、補助板２の前方側縁部２３が、壁状突起部１の根元１１３に掛かり、補助板２の後方側縁部２２が、壁状突起部１の前方エッジ部１３に掛けられる。また、補助板２の側板２４の前方の斜辺部２４１が基板面と接地するため、設置安定性が向上する。この陳列形態において、商品陳列台１０を傾斜台５に設置すると、天板２１は更に急な前方下り傾斜状となり、壁状突起部１が、例えば野菜物商品Ｂの前方転落を防止する（図５参照）。
【００１７】
天板２１が後方下り傾斜面となる陳列形態は、図１の左側列後方の２つ及び図６に示すように、補助板２の後方側縁部２２が、壁状突起部１の根元１１４に掛かり、補助板２の前方側縁部２３が、壁状突起部１の後方エッジ部１４に掛けられる。また、補助板２の側板２４の後方の斜辺部２４２が基板面と接地するため、設置安定性が向上する。この陳列形態において、商品陳列台１０を傾斜台５に設置すると、天板２１は水平状となり、後方の壁状突起部１が、例えばパック物商品Ａの後方支持部となる（図７参照）。なお、補助板２は当該形態に限定されず、天板２１のみ、すなわち、矩形状の板状物２ａであってもよい（図８）。この場合、矩形状の板状物２ａを前方下り傾斜あるいは後方下り傾斜に設置する場合、側板がないため、設置安定性の点で若干劣るものの、使用上支障をきたすことはない。
【００１８】
本発明の第２の実施の形態における商品陳列台について図９〜図１１を参照して説明する。図９は本例の実施の形態における商品陳列台の斜視図、図９（Ａ）は本例の商品陳列台の水平状の陳列形態における一部の分解斜視図、図９（Ｂ）は図９（Ａ）の組み付け図、図１０（Ａ）は本例の商品陳列台の前方傾斜の陳列形態における一部の分解斜視図、図１０（Ｂ）は図１０（Ａ）の組み付け図、図１１（Ａ）は本例の商品陳列台の後方傾斜の陳列形態における一部の分解斜視図、図１１（Ｂ）は図１１（Ａ）の組み付け図をそれぞれ示す。
【００１９】
図９〜図１１において、図２〜図６と同一構成要素には同一符号を付して、その説明を省略し、異なる点について主に説明する。すなわち、図９〜図１１において、図２〜図６と異なる点は、壁状の突起部の形状及び隣接する壁状の突起部間の形状である。すなわち、商品陳列台１０ａにおいて、隣接する壁状の突起部１、１ａ間には、前方の突起部１の根元１１３から他方の突起部１ａの前方エッジ部に延出する傾斜面１９が形成されていること及び補助台２が天板のみ、すなわち板状物であることにある。傾斜面１９は、前方エッジ部１３の前方端から前方下り傾斜であっても、前方エッジ部１３の後方端から前方下り傾斜であってもよい。傾斜面１９が、前方エッジ部１３の前方端から前方下り傾斜の場合、前方エッジ部１３が明確に表れ、前方エッジ部１３の後方端から前方下り傾斜の場合、前方エッジ部１３は表れない。
【００２０】
次に、商品陳列台１０ａにおける補助板の設置方法、すなわち陳列形態としては、補助板２ａが水平状となる陳列形態、補助板２ａが前方下り傾斜面となる陳列形態及び補助板２ａが後方下り傾斜面となる陳列形態が挙げられる。補助板２ａが水平状となる陳列形態は、図９に示すように、補助板２ａの前方部２３１が、壁状突起部１の後方エッジ部１４に載せられ、補助板２ａの後方部２２１が、壁状突起部１と傾斜面１９の境界部に載せられる。この陳列形態において、商品陳列台１０ａを傾斜台５に設置すると、図３と同様に、補助板２ａは前方下り傾斜状となり、壁状突起部１の上端部１５が、例えばパック物商品Ａの前方滑りを防止する。
【００２１】
補助板２ａが前方下り傾斜面となる陳列形態は、図１０に示すように、補助板２ａが傾斜面１９に載せられた形態である。これにより、補助板２ａが直接、基板と一体の傾斜面１９に載せられるため、設置安定性が向上する。この陳列形態において、商品陳列台１０ａを傾斜台５に設置すると、図５と同様に、補助板２ａは更に急な前方下り傾斜状となり、壁状突起部１が、例えば野菜物商品Ｂの前方転落を防止する。
【００２２】
補助板２ａが後方下り傾斜面となる陳列形態は、図１１に示すように、基板１１が前後方向に反転して設置され、更に補助板２ａが傾斜面１９に載せられた形態である。これにより、補助板２ａが直接、基板と一体の傾斜面１９に載せられるため、設置安定性が向上する。この陳列形態において、商品陳列台１０ａを傾斜台５に設置すると、補助板２ａは水平状となり、図７と同様に、後方の壁状突起部１が、例えばパック物商品Ａの後方支持部となる。
【００２３】
本発明の第３の実施の形態における商品陳列台について図１２を参照して説明する。図１２は本例の実施の形態における商品陳列台の斜視図である。図１２において、図１と同一構成要素には同一符号を付してその説明を省略し、異なる点について主に説明する。すなわち、第３の実施の形態における商品陳列台において、第１の実施の形態における商品陳列台と異なる点は、天板面及び突起部には、左右方向に所定のピッチで複数形成され前後方向に延出する縦溝２７を形成し、横溝２６に陳列商品を前後方向に区画する仕切り板７２を設置し、縦溝２７に陳列商品を左右方向に区画する仕切り板７１を設置した点及び部分的に陳列面を嵩上げするふかし台６を設置した点にある。
【００２４】
天板面に形成される横溝２６及び縦溝２７は一方向に切れ目なく連続する連続溝であって、溝深さは仕切り板の設置安定性を考慮して適宜決定される。また、壁状の突起部１に形成される縦溝２７の深さは、仕切り板の設置安定性を考慮して適宜決定される。傾斜陳列面に仕切り板７１を設置することにより、当該傾斜陳列面に隙間が形成されるものの、通常、隙間高さ以上の嵩だか商品の陳列であるため問題はない。
【００２５】
ふかし台６は、所定の高さを有し、陳列面はやや前方下り傾斜である。ふかし台６には、前端、後端及びその中間部分に左右方向に延出する係止片６１、６２、６３を有し、補助板の天板面の横溝２６に係合するようになっている。
【００２６】
商品陳列台１０ｂによれば、商品陳列台１０と同様の効果を奏する他、仕切り板及びふかし台により、よりきめ細かい陳列が演出できる。
【図面の簡単な説明】
【００２７】
【図１】第１の実施の形態における商品陳列台の斜視図である。
【図２】（Ａ）は本例の商品陳列台の水平状の陳列面を形成する形態における一部の分解斜視図、（Ｂ）は（Ａ）の組み付け図である。
【図３】図２（Ｂ）の使用状態を示す側面図である。
【図４】（Ａ）は本例の商品陳列台の前方傾斜の陳列面を形成する形態における一部の分解斜視図、（Ｂ）は（Ａ）の組み付け図である。
【図５】図４（Ｂ）の使用状態を示す側面図である。
【図６】（Ａ）は本例の商品陳列台の後方傾斜の陳列面を形成する形態における一部の分解斜視図、Ｂ）は（Ａ）の組み付け図である。
【図７】図６（Ｂ）の使用状態を示す側面図である。
【図８】本例の商品陳列台における補助板の変形例である。
【図９】（Ａ）は第２の実施の形態例の商品陳列台の水平状の陳列形態における一部の分解斜視図、（Ｂ）は（Ａ）の組み付け図である。
【図１０】（Ａ）は本例の商品陳列台の前方傾斜の陳列形態における一部の分解斜視図、（Ｂ）は（Ａ）の組み付け図である。
【図１１】（Ａ）は本例の商品陳列台の後方傾斜の陳列形態における一部の分解斜視図、（Ｂ）は（Ａ）の組み付け図である。
【図１２】第３の実施の形態における商品陳列台の斜視図である。
【符号の説明】
【００２８】
１    壁状の突起部
２    補助板
５    傾斜台
１０〜１０ｂ    商品陳列台
１１    基板
１３    突起部の前方エッジ部
１４    突起部の後方エッジ部
２１    天板
２２    補助板の後方側縁部
２３    補助板の前方側縁部
ｐ      壁状の突起部間のピッチ
ｈ      壁状の突起部の高さ
ｗ      天板の奥行き幅
１２１    前方壁面
１２２    後方壁面
【図１】
2007244582.tif 000003
【図２】
2007244582.tif 000004
【図３】
2007244582.tif 000005
【図４】
2007244582.tif 000006
【図５】
2007244582.tif 000007
【図６】
2007244582.tif 000008
【図７】
2007244582.tif 000009
【図８】
2007244582.tif 000010
【図９】
2007244582.tif 000011
【図１０】
2007244582.tif 000012
【図１１】
2007244582.tif 000013
【図１２】
2007244582.tif 000014